(57)【要約】【課題】自動車内で使用する芳香剤容器は、振動にさらされるため、所謂リードディフューザータイプのものは使用されなかった。【解決手段】液体芳香剤を収納する容器と、  前記容器の口に嵌合する中蓋と、  前記中蓋に貫設され、前記容器の高さより高い複数のリード材と、  前記容器に固定された状態で、少なくとも１か所以上の開口部が設けられたカバーを有し、  前記中蓋には、前記リード材が貫設される複数の貫通孔が設けられていることを特徴とする芳香剤容器は、リードディフューザータイプであるにも関わらず、振動による液体芳香剤の漏れや、リード材の不用意な動きが抑制されているので、自動車内でも好適に利用できる。【選択図】図１
2019123554.tif 000002
【特許請求の範囲】
【請求項１】
液体芳香剤を収納する容器と、
前記容器の口に嵌合する中蓋と、
前記中蓋に貫設され、前記容器の高さより高い複数のリード材と、
前記容器に固定された状態で、少なくとも１か所以上の開口部が設けられたカバーを有し、
前記中蓋には、前記リード材が貫設される複数の貫通孔が設けられていることを特徴とする芳香剤容器。
【請求項２】
前記カバーの上端は、前記中蓋に貫設された前記リード材の上先端より高いことを特徴とする請求項１に記載された芳香剤容器。
【請求項３】
前記リード材が前記中蓋に貫設される方向を規制するガイドを有することを特徴とする請求項１または２の何れかの請求項に記載された芳香剤容器。
【請求項４】
前記貫通孔を通り、前記ガイドによって規制された前記リード材の少なくとも１本の下端は、前記容器の低い部分に配置されることを特徴とする請求項３に記載された芳香剤容器。
【請求項５】
前記ガイドは、前記中蓋に設けられていることを特徴とする請求項３または４の何れかの請求項に記載された芳香剤容器。
【請求項６】
前記ガイドは、前記中蓋において高さ方向の異なる位置に設けられた一対の貫通孔であることを特徴とする請求項５に記載された芳香剤容器。
【請求項７】
前記ガイドは、前記リード材を前記貫通孔に押し付ける付勢を有することを特徴とする請求項３乃至５の何れか一の請求項に記載された芳香剤容器。
【請求項８】
前記中蓋には空気孔が設けられていることを特徴とする請求項１乃至７の何れか一の請求項に記載された芳香剤容器。
【請求項９】
前記容器の外底はフラットな部分を有することを特徴とする請求項１乃至８の何れか一の請求項に記載された芳香剤容器。
【発明の詳細な説明】
【技術分野】
【０００１】
本発明は自動車用芳香剤の容器に係るものであり、特にリードディフューザーと呼ばれる芳香剤容器を自動車内で用いる芳香剤容器に関するものである。
【背景技術】
【０００２】
生活空間を快適なものとするために、香りを生活空間に発散させることが普及している。例えば、特許文献１は、容器に入れられた液体芳香剤を平たく長い複数本の短冊状木製板材（リード）で吸い上げ空気中に発散させる芳香発散装置が開示されている。
【０００３】
また、特許文献２は、少なくとも２本の竹棒が、少なくとも１つの結束部材を用いて束ねられ、竹棒の上部は、折曲げ又は編込み加工により輪っか状に成形された輪っか部を備え、竹棒の下部を液体芳香剤に浸たすことにより、輪っか部から液体芳香剤を拡散させる液体芳香剤ディフューザーが開示されている。
【０００４】
一方、生活空間の一部ともいえる自動車内においても、香りを発散させることが行われている。自動車の場合は、走行中の振動などがあるため、仮に容器が倒れても液体芳香剤が漏れ出ないような工夫がされている。また、容器自体が倒れないように固定する工夫もされている。
【先行技術文献】
【特許文献】
【０００５】
【特許文献１】実用新案登録第３１１９８３４号公報
【特許文献２】実用新案登録第３２１０７０１号公報
【発明の概要】
【発明が解決しようとする課題】
【０００６】
特許文献１や特許文献２のように、液体芳香剤をリードで吸い上げ発散させるタイプ（所謂リードディフューザー）のものは、リードの本数を調整することで発散量の調整が容易である。また、リードが容器より高い位置に配置されるので、芳香剤の発散容器としては、望ましい。
【０００７】
しかし、リードが容器より上方にまで伸び、容器の口の部分でリードが動き回れることができるため、安定性が悪い。また、容器の口も開いたままで使用されるため、容器自体に振動等が加わると、液体芳香剤がこぼれやすいといった問題もあった。また、複数のリードは、先端が空中に突設されているため、自動車の中では乗員にあたるおそれもある。さらに、リードは、振動で容器から飛び出るおそれさえある。したがって、リードディフューザータイプの芳香剤容器は、自動車用としては、使用されていなかった。
【課題を解決するための手段】
【０００８】
本発明は上記課題に鑑みて想到されたもので、リードを使っていても、安定性があり、液が漏れにくい自動車用芳香剤容器を提供するものである。
【０００９】
より具体的に本発明に係る芳香剤容器は、
液体芳香剤を収納する容器と、
前記容器の口に嵌合する中蓋と、
前記中蓋に貫設され、前記容器の高さより高い複数のリード材と、
前記容器に固定された状態で、少なくとも１か所以上の開口部が設けられたカバーを有し、
前記中蓋には、前記リード材が貫設される複数の貫通孔が設けられていることを特徴とする。
【発明の効果】
【００１０】
本発明に係る芳香剤容器は、リード材が容器の口に嵌合する中蓋に貫設されるため、リード材が固定される。さらに、容器の口の部分で、リード材がない部分は中蓋が空間を塞ぐことになるので、仮に容器が倒れても容器中の液体芳香剤がこぼれることが少ない。
【００１１】
また、リード材の差し込み方向を中蓋部分に設けたガイドで規制できるため、容器の内底に均一にリード材を差し込むことができる。また、容器の内面の底の縁にリード材の下端を容易に配置することができるため、容器の内底面を中央が盛り上がる構造にしておくことで、液体芳香剤を全てリード材で吸い上げることができる。
【図面の簡単な説明】
【００１２】
【図１】本発明に係る芳香剤容器の組立図である。
【図２】本発明に係る芳香剤容器の斜視図および側面図である。
【図３】容器の底の断面図である。
【図４】中蓋（芯押さえ）の拡大図である。
【図５】中蓋（芯押さえ）の拡大図と、舌片が折り曲げられた状態を示す図である。
【図６】中蓋の舌片の形成を示す拡大図である。
【図７】他の形態の中蓋を示す斜視図である。
【図８】他の形態の中蓋の平面図と断面図である。
【図９】他の形態の中蓋の側面図である。
【図１０】他の形態の中蓋の底方向からの平面図である。
【発明を実施するための形態】
【００１３】
以下に本発明に係る芳香剤容器について図面および実施例を示し説明を行う。なお、以下の説明は、本発明の一実施形態および一実施例を例示するものであり、本発明が以下の説明に限定されるものではない。以下の説明は本発明の趣旨を逸脱しない範囲で改変することができる。また、本明細書において、上下は、重力方向の上下をいい、芳香剤容器は、水平面に置かれているとして説明する。
【００１４】
図１に本発明に係る芳香剤容器の組立図を示し、図２（ａ）に組みあがった芳香剤容器の透視斜視図、図２（ｂ）に透視側面図を示す。本発明に係る芳香剤容器１は、液体芳香剤を充填する容器１０と、中蓋１２と、リード材１４と、カバー１６を含む。
【００１５】
容器１０はガラス、プラスチック、金属といった材質が利用できる。内容量の残量を容易に確認できるためには、透明な材料が望ましい。容器１０は、口１０ａ、胴体１０ｂ、肩１０ｃ、内底１０ｄ、外底１０ｅを少なくとも有する。
【００１６】
容器１０の口１０ａは、容器１０の胴体１０ｂよりは狭く形成することができる。本発明に係る芳香剤容器１は、容器１０から飛び出るリード材１４をカバー１６内に収納するので、カバー１６と容器１０の嵌合の余裕が必要な場合もあるからである。容器１０の肩１０ｃは、口１０ａが、胴体１０ｂと同じ若しくは胴体１０ｂより細くなれば、必然的に形成される。
【００１７】
なお、口１０ａ若しくは肩１０ｃには、カバー１６との嵌合部（図示せず）が設けられていてもよい。カバー１６は、口１０ａ若しくは肩１０ｃと直接的若しくは間接的に嵌合、螺合若しくは他の係止方法で固定される。ここで間接的とは、他の部材を介して、カバー１６と容器１０が固定されることをいう。結果、カバー１６は容器１０に固定される。この固定は、着脱可能に固定されていてもよいし、接着、溶接、カシメといった半永久的な固定であってもよい。
【００１８】
容器１０の内底１０ｄは容器１０の内部の底をいう。また外底１０ｅは、容器１０の外部の底をいう。したがって、内底１０ｄと外底１０ｅは対向する関係にある。容器１０の内底１０ｄは、平坦でなく、高い部分１０ｄＨと低い部分１０ｄＬ（図３参照）が存在し、高い部分１０ｄＨから低い部分１０ｄＬになめらかに変化する形状であるのが望ましい。内部の液体芳香剤の残量が少なくなった時に、必ず低い部分１０ｄＬに液体芳香剤が集まるようにしておくことで、液体芳香剤を吸い取りやすくするためである。
【００１９】
例えば、図３（ｂ）を参照する。高い部分１０ｄＨを内底１０ｄの中央部に設け、低い部分１０ｄＬを内底１０ｄの周囲に設ける。このようにすると、液体芳香剤は最後に必ず内底１０ｄの周囲に集まる。また、図３（ａ）を参照して、高い部分１０ｄＨを内底１０ｄの周囲に設け、低い部分１０ｄＬを内底１０ｄの中央部分に設けてもよい。このようにすると、液体芳香剤は最後に必ず内底１０ｄの中央部に集まる。
【００２０】
したがって、リード材１４の少なくとも１本の下端をこの低い部分１０ｄＬに配置できるようにすることで、液体芳香剤を最後までリード材１４で吸い上げることができる。なお、高い部分１０ｄＨおよび低い部分１０ｄＬは１つの容器１０内に複数あってもよい。
【００２１】
一方、容器１０の外底１０ｅは、フラットな部分を有するように形成されているのがよい。この部分には、両面テープ等を貼り付けることで、自動車内のダッシュボード等に固定するためである。フラットな部分は、外底１０ｅを全面に亘って平坦に形成してもよい。また、外底１０ｅの中央部を容器１０の口１０ａに向かって隆起させ、その隆起の周囲を平坦に形成してもよい。
【００２２】
胴体１０ｂの形状には、特に限定はない。胴体１０ｂの水平方向の断面は円形であってもよいし、方形、正方形、楕円形といった形状であっても好適に利用できる。また、胴体１０ｂの断面積は、内底１０ｄからの高さで変化していてもよい。また、内底１０ｄからの高さで断面の形状が変化してもよい。
【００２３】
再び図１および図２を参照する。リード材１４は、木製板、木製棒が好適に用いられる。特に、木製棒が好ましい。なお、リード材１４は、毛細管現象で容器１０内の液体芳香剤を吸いあげる。したがって、容器１０内の液体芳香剤を吸い上げることができれば、木製に限定されるものではない。例えば、樹脂、人口繊維、不織布、織布等を素材とすることができ、紙であってもよい。また、複数の素材の複合材であってもよい。
【００２４】
リード材１４は少なくとも容器１０の内高さ（内底１０ｄから口１０ａまでの長さ）より長いのが望ましい。容器１０内の液体芳香剤を吸い上げ、容器１０の口１０ａより上方で芳香剤を揮発させるためである。リード材１４は複数本用いることができる。リード材１４を複数本用いるようにすると、リード材１４の本数によって揮発量を調整できる。
【００２５】
また、リード材１４は、細身のものが好ましく利用できる。容器１０内の液体芳香剤の残量が少なくなっても、吸い上げることができるからである。リード材１４の太さとしては、直径１ｍｍ以上１０ｍｍ以下が好ましく、２ｍｍ以上８ｍｍ以下であれば、より好ましい。また３ｍｍ以上５ｍｍ以下であれば最も好ましい。
【００２６】
中蓋１２は、容器１０の口１０ａを塞ぎ、かつリード材１４を貫設させる。ここでは、芯押さえ２２が中蓋１２に相当する。また、芯押さえ２２を固定するためにネジ栓２０を用いる例を示す。しかし、中蓋１２は単体で容器１０の口１０ａに固定されてもよい。芯押さえ２２は、容器１０の口１０ａに一部が挿設され、縁２２ａで口１０ａに掛止される。ネジ栓２０は、内側にメスネジが形成されており、容器１０の口１０ａの外側に設けられたオスネジと螺合することで、容器１０に固定される。またネジ栓２０は、内側に抑え２０ａが設けられており、口１０ａに掛止した芯押さえ２２を口１０ａとの間で挟持する。
【００２７】
図４に芯押さえ２２を示す。図４（ａ）は芯押さえ２２の上方視平面図である。図４（ｂ）は、下方視平面図である。図４（ｃ）は下方よりの斜視図である。また、図４（ｄ）は、図４（ａ）のＢ−Ｂ断面であり、図４（ｅ）は図４（ａ）のＣ−Ｃ断面である。
【００２８】
芯押さえ２２は縁２２ａと、容器１０の口１０ａから容器１０内に挿入される挿入部２２ｂで構成される。挿入部２２ｂの底２２ｂｂには、６つの貫通孔２２ｃと中央に空気孔２２ｄが形成されている。貫通孔２２ｃは、一部が底２２ｂｂに接続した状態で、残りの部分に切れ込みが施されている。すなわち、一部に切り残し２２ｃｒがあるまま円状に切れ目を入れてある。円状に残った部分を舌片２２ｃａと呼ぶ。図５（ａ）には、この部分の拡大図を示す。舌片２２ｃａは貫通孔２２ｃをほとんど塞いでいる。切り残し２２ｃｒは、舌片２２ｃａと挿入部２２ｂの底２２ｂｂとを繋ぐ部分である。
【００２９】
図５（ｂ）および図５（ｃ）に、この芯押さえ２２の貫通孔２２ｃにある舌片２２ｃａが容器１０の外側から容器１０の内側に押し込まれた様子を示す。実際には、この舌片２２ｃａの押し込みは、リード材１４によって行われる。
【００３０】
このように、リード材１４が、中蓋１２（芯押さえ２２）に貫設される際には、舌片２２ｃａを押し下げて貫設される。言い換えると、リード材１４が貫設されていない貫通孔２２ｃは、舌片２２ｃａが貫通孔２２ｃを塞いだ状態になっている。したがって、容器１０が過度の振動で倒れてしまっても、容器１０の中の液体芳香剤は漏れ出しにくい。
【００３１】
また、リード材１４が貫設された際には、舌片２２ｃａは、元の位置に戻ろうとしてリード材１４を貫通孔２２ｃに押し付けるように付勢し、リード材１４の動きを制限する。そのため、リード材１４は貫設される方向が規定され固定される。したがって、リード材１４が振動で動き回る若しくは、貫通孔２２ｃから飛び出てしまうといった事態が抑制される。このように、リード材１４の挿入方向と動きを制限する部分をガイド３０と呼ぶ。図５の場合は、ガイド３０は、中蓋１２（芯押さえ２２）の貫通孔２２ｃに設けられた舌片２２ｃａである。
【００３２】
中蓋１２に一部を残して下方に折れ込む舌片２２ｃａは、ガイド３０が取り得る態様の一つであると言ってもよい。ガイド３０は、リード材１４の動きを規制するものであれば、図５に示した中蓋１２（芯押え２２）の舌片２２ｃａ以外の態様であってもよい。例えば、ガイド３０は、図５（ｂ）および図５（ｃ）に示すように、貫通孔２２ｃの下方にリード材１４の挿入方向を規定する舌片２２ｃａが所定の角度で開いたままの状態のものであってもよい。
【００３３】
また、中蓋１２をスポンジ等の可撓性、伸縮性のある材料で形成し、貫通孔２２ｃの位置に切れ込みを入れておけば、リード材１４が通過することができ、さらに、切れ目の入れる方向でリード材１４の挿入方向をある程度規制することができる。ガイド３０はこのような形態であってもよい。
【００３４】
また、ガイド３０は、カバー１６の内面若しくは上面に予め設けたリード材１４の一部を係止できる突起等であってもよい。なお、カバー１６の上面は本明細書の説明では開口部１６ａとしているが、カバー１６の上面を塞いだ場合にはガイド３０をカバー１６の上面に設けることもできる。
【００３５】
また、容器１０の内底１０ｄにリード材１４の下端を固定する凹みであってもよい。また、カバー１６内に網状のリード材１４の規制を設けてガイド３０としてもよい。すなわち、ガイド３０は、芳香剤容器１内であれば、どこに設けられていてもよい。
【００３６】
また、ここで、リード材１４の挿入される方向若しくは貫設される方向を規制するとは、完全にリード材１４を固定していなくてもよく、リード材１４の下先端が容器１０の低い部分１０ｄＬの方向に向かえばよい。言い換えると、ガイド３０と容器１０の低い部分１０ｄＬでリード材１４が保持されているともいえる。
【００３７】
切り残し２２ｃｒの位置は、貫通孔２２ｃ毎に異なるようにするのが好適である。図６（ａ）に芯押さえ２２の底２２ｂｂの拡大図を示す。なお、空気孔２２ｄは記載を省略している。また、舌片２２ｃａは、舌片２２ｃａ１だけを符号で示し、他の舌片の符号は省略している。芯押さえ２２の底２２ｂｂには、６つの貫通孔２２ｃが形成されている。これらの貫通孔２２ｃをそれぞれ貫通孔２２ｃ１から貫通孔２２ｃ６とする。また、舌片２２ｃａを底２２ｂｂに繋ぎとめる切り残し２２ｃｒもそれぞれ切り残し２２ｃｒ１から切り残し２２ｃｒ６とする。芯押さえ２２の底２２ｂｂを固定し、上側を０°として、時計回りに角度を言う事とする。また、切り残し２２ｃｒの角度は、舌片２２ｃａから芯押さえ２２に向かう方向を言うものとする。
【００３８】
貫通孔２２ｃ１の切り残し２２ｃｒ１は、２７０°の位置にある。また、貫通孔２２ｃ２の切り残し２２ｃｒ２は３３０°の位置にある。同様に、貫通孔２２ｃ３の切り残し２２ｃｒ３は３０°の位置、貫通孔２２ｃ４の切り残し２２ｃｒ４は９０°の位置、貫通孔２２ｃ５の切り残し２２ｃｒ５は１５０°の位置、貫通孔２２ｃ６の切り残し２２ｃｒ６は２１０°の位置にそれぞれ設けられている。したがって、貫通孔２２ｃ毎に舌片２２ｃａの折れ込み方向が異なる。すなわち、リード材１４毎に挿入される方向が異なる。
【００３９】
貫通孔２２ｃ毎に舌片２２ｃａの折れ込み方向が異なるようにすることで、リード材１４が互いに干渉することなく容器１０内に挿入され、固定させる（貫設される）ことができる。図６（ｂ）は、芳香剤容器１を上方視した平面図である。リード材１４は舌片２２ｃａの規制に従って、中蓋１２（芯押さえ２２）に貫設されている。
【００４０】
特に、容器１０の内底１０ｄが円形の場合で、内底１０ｄの低い部分１０ｄＬが内底１０ｄの縁に設けられている場合は、リード材１４の下端が低い部分１０ｄＬに均等に配置され、容器１０中の液体芳香剤を全て吸い上げることができる（図２（ａ）参照）。なお、ガイド３０によって、内底１０ｄの低い部分１０ｄＬへ下端を誘導されるリード材１４は、少なくとも１本あればよい。
【００４１】
次に図７から図１０を用いて、他の形態のガイド３０を有する中蓋４２を示す。図７は、中蓋４２の斜視図である。より具体的には、図７（ａ）は、中蓋４２の上方向から見た斜視図であり、図７（ｂ）および（ｃ）は下方からの斜視図である。図８は、中蓋４２の平面図および断面図である。より具体的には、図８（ａ）は、中蓋４２の上方視平面図であり、図８（ｂ）は、図８（ａ）のＢ−Ｂ断面図であり、図８（ｃ）は図８（ａ）のＡ−Ａ断面を示す。図９は、中蓋４２の側面図（図９（ａ））とその一部拡大図（図９（ｂ））である。また、図１０は、中蓋４２の底方視平面図である。
【００４２】
図８を参照して、中蓋４２は、中蓋上部４４と中蓋下部４６を連結部４５で連結された構造となっている。
【００４３】
中蓋上部４４は、図４などで説明した中蓋１２（芯押え２２）と類似したもので、縁４４ａ、挿入部４４ｂの底４４ｂｂ、貫通孔４４ｃを有している。一方、中蓋下部４６は、縁のついたディスク形状をしており、中蓋上部４４同様に貫通孔４６ｃがその表面に形成されている。連結部４５は、中蓋上部４４と中蓋下部４６の中央部分を連結する。中蓋上部４４の底４４ｂｂの径４４ｂｂｗおよび中蓋下部４６の径４６ｗよりも連結部４５の径４５ｗは狭く形成されている。
【００４４】
図８（ｂ）を参照して、中蓋上部４４の貫通孔４４ｃと中蓋下部４６の貫通孔４６ｃは、円周方向でわずかにずれる（図９も参照）。図８（ｂ）では、貫通孔４４ｃと貫通孔４６ｃが、ｔだけずれていることを表している。そのため、貫通孔４４ｃと貫通孔４６ｃの中心は、鉛直方向（中蓋４２の上下方向）からθだけずれる。
【００４５】
したがって、リード材１４を貫通孔４４ｃと貫通孔４６ｃに挿入していくと、図６（ｂ）に示したように、上面視放射状に貫設される。図９（ｂ）では、中蓋４２を側面視した際にリード材１４が露出することを点線で示した。また、中蓋４２において、高さ方向で設置位置が異なる地点でリード材１４を保持しているので、一度貫設されたリード材１４が動くことはない。
【００４６】
上記のように、貫通孔４４ｃと貫通孔４６ｃは中蓋４２において、高さ方向が異なる位置に設けられた一対の貫通孔４４ｃと４６ｃは、リード材１４の挿入方向と動きを制限するので、ガイド３０といってよい。
【００４７】
なお、中蓋下部４６の貫通孔４６ｃには、リード材１４が貫設された際の傾き方向以外の部分に規制壁４６ｆが設けられていてもよい（図７（ｂ）、図７（ｃ）、図１０も参照）。規制壁４６ｆを設けることにより、リード材１４を貫通孔４４ｃを通して貫通孔４６ｃに挿入する際に、挿入方向がぶれることが抑制される。
【００４８】
また、貫設されたリード材１４の動きも、より強く規制されることとなる。このような構成は、どのような人がリード材１４を中蓋４２に貫設する際にも、同じ位置に貫設させることができるという効果を奏する。言い換えると、組み立てる人によって、リード材１４の配置や貫設状態が変化することがない。結果、安定した商品を提供することができる。
【００４９】
また、中蓋上部４４の貫通孔４４ｃ若しくは中蓋下部４６の貫通孔４６ｃには、規制壁４６ｆに変えて、図５（ｃ）で示した舌片２２ｃａを設けてもよい。舌片２２ｃａはリード材１４に付勢をかけ、リード材１４の動きを抑制するからである。また、中蓋４２は、図８で示したように、中央に空気孔４２ｄが形成されていてもよい。中蓋４２の空気孔４２ｄは、中蓋上部４４の空気孔４４ｄと中蓋下部４６の空気孔４６ｄで構成される。
【００５０】
図７から図１０で説明した中蓋４２は、高さ方向の異なる位置に設けられた貫通孔４４ｃ、４６ｃをガイド３０として利用できる中蓋である。中蓋４２のような構成は、上下抜きの金型と、横抜きの金型の組み合わせによって、１回の射出成型で形成することができる一体型部材となるので、大変効率的に製造することができ、コストも低減することができる。
【００５１】
なお、中蓋４２において高さ方向の異なる位置に貫通孔を設け、ガイド３０とする構成は、図７から図１０で示した構成に限定されないのは、いうまでもない。そして、高さ方向に異なる位置に貫通孔を設ける構成は、中蓋４２のように１回の射出成型でできるものだけでなく、複数の部品を組み合わせて高さ方向に異なる位置に貫通孔を設ける構成にしてもよい。
【００５２】
再び図１、図２を参照する。カバー１６は、容器１０の口１０ａ若しくは肩１０ｃに掛止される。図では、中蓋１２を構成するネジ栓２０の外側をカバー１６の下端の内側に嵌入することで、カバー１６は、固定される。カバー１６は、容器１０の口１０ａや、肩１０ｃ、胴体１０ｂに直接固定する場合を含め、このように他の部材（ここではネジ栓２０）を介して間接的に固定される場合でも、容器１０に固定されると言ってよい。
【００５３】
カバー１６は、少なくとも中蓋１２に貫設されたリード材１４の容器１０から飛び出た部分を覆う高さ１６ｈを有するのが望ましい。すなわち、カバー１６の上端１６ｅは、中蓋１２に貫設されたリード材１４の上先端より同じ若しくは高い位置にある。このようにすることで、容器１０から飛び出たリード材１４の上先端が利用者（ここでは乗員）に当たることを防止できる。ただし、リード材１４の上先端がカバー１６の高さ１６ｈより高く設定することを排除しない。
【００５４】
また、カバー１６は少なくとも１つ以上の開口部１６ａが設けられる。開口部１６ａは、カバー１６の内側と外側を繋ぐ貫通孔である。リード材１４から揮発する芳香剤をカバー１６から外側に放出するためである。ここでは、開口部１６ａは、カバー１６の上端を開放した状態で構成している。開口部１６ａは、カバー１６の側面にスリット状の開口部１６ａを設けるなどしてもよい。また、中蓋１２に貫設されたリード材１４の容器１０から飛び出した部分を、全部覆うようにカバー１６の高さ１６ｈを設定し、カバー１６の上部を塞いだ状態で、開口部１６ａをカバー１６の側面にスリット状に設けてもよい。
【００５５】
以上のように構成された芳香剤容器１の作用について説明する。容器１０には、液体芳香剤が充填される。容器１０の口１０ａには、中蓋１２（本説明では芯押さえ２２）で蓋がされている。中蓋１２には、リード材１４が貫設されており、リード材１４の下端は容器１０の内底１０ｄの低い部分１０ｄＬに設置される。これによって、容器１０内の液体芳香剤は、全ていずれかのリード材１４によって吸い上げられる。
【００５６】
また、リード材１４は中蓋１２に貫設されているので、貫通部分は隙間があっても狭く、容器１０が倒れても、液体芳香剤は漏れ出しにくい。一方、中蓋１２による密閉度が高すぎると、リード材１４が液体芳香剤を吸い上げにくくなる。そのため中蓋１２には空気孔２２ｄが設けられている。空気孔２２ｄは小さい孔なので、ここからも液体芳香剤は漏れ出しにくい。
【００５７】
中蓋１２には、リード材１４の貫設方向を規制するガイド３０（ここでは、舌片２２ｃａや高さの異なる位置に設けた一対の貫通孔等）が設けられている。したがって、リード材１４が振動で動いたり、飛び出すということが抑制されている。また、ガイド３０を芯押さえ２２の舌片２２ｃａのように構成すると、リード材１４が貫設されていない箇所は、舌片２２ｃａで貫通孔２２ｃを閉じておくことができる。したがって、全ての貫通孔２２ｃにリード材１４が貫設されていない場合でも、容器１０内の液体芳香剤が振動で漏れ出すおそれがない。なお、舌片２２ｃａで貫通孔２２ｃを閉じるというのは、完全に気密若しくは液密でなくてもよい。
【００５８】
カバー１６は、容器１０の口１０ａから突設されるリード材１４の上先端を覆うので、乗員にリード材１４の上先端が接触するといった危険がない。
【００５９】
また、容器１０の外底１０ｅが平坦であれば、両面テープなどで、ダッシュボード上に芳香剤容器１を固定することができる。
【産業上の利用可能性】
【００６０】
本発明の芳香剤容器は、自動車の車内に載置して、車内に安全に芳香剤を放出することができる。また、本発明に係る芳香剤容器は、室内など自動車以外の場所で利用することもできる。
【符号の説明】
【００６１】
１  芳香剤容器
１０  容器
１０ａ  口
１０ｂ  胴体
１０ｃ  肩
１０ｄ  内底
１０ｄＨ  高い部分
１０ｄＬ  低い部分
１０ｅ  外底
１２  中蓋
１４  リード材
１６  カバー
１６ａ  開口部
１６ｈ  高さ
１６ｅ  上端
２０  ネジ栓
２０ａ  抑え
２２  芯押さえ（中蓋１２）
２２ａ  縁
２２ｂ  挿入部
２２ｂｂ  底
２２ｃ  貫通孔
２２ｄ  空気孔
２２ｃｒ  切り残し
２２ｃａ  舌片
３０  ガイド
４２  中蓋
４２ｄ  空気孔
４４  中蓋上部
４４ａ  縁
４４ｂ  挿入部
４４ｂｂ  径
４４ｂｂｗ  底幅
４４ｃ  貫通孔
４４ｄ  空気孔
４５  連結部
４５ｗ  連結部の径
４６  中蓋下部
４６ｄ  空気孔
４６ｆ  規制壁
【図１】
2019123554.tif 000003
【図２】
2019123554.tif 000004
【図３】
2019123554.tif 000005
【図４】
2019123554.tif 000006
【図５】
2019123554.tif 000007
【図６】
2019123554.tif 000008
【図７】
2019123554.tif 000009
【図８】
2019123554.tif 000010
【図９】
2019123554.tif 000011
【図１０】
2019123554.tif 000012